(57)【要約】      【課題】色んな交通事故による逃げ得を減らす為には、抑止効果の有るように工夫して、今後は色んな歩いている人や、色んな自転車に乗って走っている人をひき逃げの色んな人身事故、及び色んな建造物に衝突して逃げてしまう人達の色んな交通事故を減らす為に、考え工夫をした全ての色んな自動車がこの発明である。      【解決手段】色んな交通事故による加害者に対して、逃げ得の抑止効果が上がるように工夫して色々考えたのが、加害者の住所氏名を記憶したチップをガラス又は、プラスチックを埋め込んで、全ての色んな自動車のフロントバンパーや、左側のボデーの外側に貼り着けておくと、色んな交通事故を起こした時に、加害者の住所氏名を記憶したチップを埋め込んだガラス又は、プラスチックがバラバラに割れるので、道路や他の場所の地面上に落ちるので、加害者が簡単にしかも早く特定出来るように工夫した色んな自動車。【選択図】図１
2019099036.tif 000002
【特許請求の範囲】
【請求項１】
この発明の特徴は、毎日日本中の何処かで色んな自動車が歩いている人達や、色んな自転車に乗って走っている人を、ひき逃げをしたまま逃げてしまう人達や、色んな自動車同士が衝突した時、及び色んな建造物などに色んな自動車をぶつけて、そのまま逃げてしま人達がいるのを防ぐ為には、通常の状態で色んな自動車を早く走っている時の振動くらいでは、簡単に道路や他の場所の地面の上に落ちないようにして、加害者の色んな自動車が衝突した時の証拠が残るようにする為に、全ての色んな自動車が歩いている人や、色んな自転車に乗って走っている人をひき逃げをした時や、色んな自動車同士が衝突した時、及び色んな建造物などに、色んな自動車が衝突した時の激しい衝撃でガラス又は、プラスチックがバラバラに割れるのと、色んな自動車のフロントバンパーや、左側のボデーの外側に歪やへこみができると、自動車のフロントバンパーの外側に４個から５個位と、左側のボデーの外側に２個から３個位貼り着けておくと、色んな自動車が歩いている人や、色んな自転車に乗って走っている色んな人をひき逃げをした時や、色んな自動車同士が衝突した時、及び色んな建造物などに色んな自動車をぶつけた時に、衝突した時の激しい衝撃でガラス、又はプラスチックがバラバラに割れるので、しかも色んな自動車のフロントバンパーや、左側のボデーの外側に歪やへこみができると、加害者の住所や氏名を記憶したチップを埋め込んだガラス、又はプラスチックがバラバラに割れた破片が、道路や他の場所の地面の上に、バラバラに落ちているので、加害者の住所や氏名が簡単に、しかも早く特定出来るように考え、できるように工夫した構造の全ての色んな自動車。
【請求項２】
全ての色んな自動車に元々初めから、常にまあるく外側に曲がるような性質の材料を利用して、それを真っ直ぐ平らに伸ばしてから、加害者の住所や氏名を記憶したチップを埋め込んだプレートを、接着力が有る性質の材料を使って、色んな自動車のフロントバンパーの外側に４個から５個位と、左側のボデーの外側に２個から３個位貼りつけて、色んな自動車が色んな人や物に衝突した衝撃で、色んな自動車のフロントバンパーや、左側のボデーの外側に歪やへこみができると、色んな自動車のフロントバンパーや、左側のボデーの外側と、加害者の住所や氏名を記憶したチップを埋め込んだプレートとの隙間がいっきに広がり、元の形に戻ろうとするので、接着力が全くなくなるので、道路や他の場所の地面の上に落ちたのを拾って調べれば、加害者の住所や氏名が簡単に、しかも早く分かるように工夫した色んな自動車。
【発明の詳細な説明】
【技術分野】
【０００１】
現在全国で毎日のように起きる色んな自動車の交通事故による、逃げ得を減らす為には、加害者の全ての色んな自動車のフロントバンパーや、左側のボデーの外側に加害者の自動車が何かに衝突した時にだけ、加害者の自動車の衝突の証拠が残るようにする為に、加害者の住所や氏名を記憶したチップを埋め込んだガラス又は、プラスチックがバラバラに割れるので、人や物に衝突した時にできるフロントバンパーや、左側のボデーの外側に歪やへこみができて、加害者の住所や氏名を記憶したチップの埋め込んだガラス又は、プラスチックがバラバラに割れるので、道路や他の場所の地面の上に、バラバラになった破片が落ちるので、加害者が早くしかも簡単に特定出来るような構造にした。
【背景技術】
【０００２】
今迄の全ての色んな自動車は、色んな交通事故を起こした場合には、誰も見ていない時に、気が動転して怖くなり逃げてしまう人達が多くいましたので、今後は色んな歩いている人や、色んな自転車に乗って走っている人をひき逃げ、及び色んな建造物に衝突して逃げてしまう人達の、色んな物損事故を減らす為に、考え工夫をして気付いたのが、加害者の住所や氏名を記憶したチップを埋め込んで、全ての色んな自動車のフロントバンパーの外側や、ボデーの左側の外側に貼り着けておき、人や物に衝突した時に、色んな自動車のフロントバンパーや、左側のボデーの外側に歪やへこみができて、色んな自動車のフロントバンパーや、ボデーと加害者の住所や氏名を記憶したチップを埋め込んだガラス又は、プラスチックがバラバラに割れるので、色んな自動車のフロントバンパーや、左側のボデーの外側から、道路や他の場所の地面の上に、バラバラになった破片が落ちるので、加害者の住所や氏名が簡単に、しかも早く特定できるような構造にしたのがこの発明である。
【先行技術文献】
【特許文献】
【０００３】
【特許文献１】０件
【発明の概要】
【発明が解決しようとする課題】
【０００４】
今迄の全ての色んな自動車では色んな交通事故を起こしても、誰も見ていない場合には、中々加害者の自動車や加害者が見つからず、困っている現状の実情の課題を解決するには、いかにして早くしかも簡単に逃げ得の加害者を見つけ特定する為に、一つめの解決策は加害者の住所や氏名を記録して有るチップがガラス又は、プラスチックが、衝突した時の激しい衝撃の影響で、道路や他の場所の地面にバラバラになった破片が落ちるので、加害者の住所や氏名を記憶して有るチップが埋め込まれているガラス又は、プラスチックがバラバラに割れた破片を、道路や他の地面から拾って、調べれば簡単にしかも早く加害者を特定出来る。
二つめの解決策は加害者の住所や氏名を記録して有るので、元々初めから常にまあるく外側に曲がるような性質の材料を利用して、それを真っ直ぐ平らに伸ばしてから、加害者の住所や氏名を記憶したチップを埋め込んだプレートが、元の形に戻ろうとすると、接着力が全くなくなるので、全ての色んな自動車のフロントバンパーの外側に４個から５個位と、左側のボデーの外側に２個から３個位貼りつけて、色んな自動車が色んな人や物に衝突した衝撃で、色んな自動車のフロントバンパーや、左側のボデーの外側に歪やへこみができると、色んな自動車のフロントバンパーや、左側のボデーの外側と、加害者の住所や氏名を記憶したチップを埋め込んだプレートとの隙間がいっきに広がり、接着力が全く無くなるので、道路や他の場所の地面の上に落ちたのを拾って調べれば、加害者の住所や氏名が簡単に、しかも早く分かるように工夫して、逃げ得の加害者を無くすための課題を解決した。    
【課題を解決するための手段】
【０００５】
全ての色んな交通事故を起こした後、逃げてしまう人を無くす為の、課題を解決する為の手段は、現状では色んな交通事故が起きた現場で、加害者の自動車のどんな小さな部品でも、多くの人達が道路の上に多く人達がよつんばいになって、バラバラに割れた破片を拾って、証拠になる色んな部品を探して、拾い集めてそれを証拠にして、加害者の自動車を探してから、加害者を特定していましたが、この発明によって加害者の住所や氏名が早く、しかも簡単に特定できるようにして、色なん事故を起こして逃げてしまう人達に対して、抑止効果が上がるように工夫して解決した。
【発明の効果】
【０００６】
今迄は色んな交通事故を起こしても、怖くなり逃げてしまう人達がいま      
したが、この発明の効果により逃げてしまう人達が次第に少なくなり、しまいにはいなくなって行くのと、今迄は色んな交通事故を起こして、多くの人々がケガや死亡して犠牲になった犠牲者いなくなってほしので、今迄よりは色んな交通事故を起こした加害者を、簡単にしかも早く特定できるので、加害者を探す人員の数と、時間の短縮や費用の削減ができるので、現状のままよりは大いに大きな社会的貢献ができるように工夫した。
【図面の簡単な説明】
【０００７】
【図１】自動車の左側面図と、平面図。
【図２】自動車の左側面図と、平面図。
【発明を実施するための形態】
【０００８】
この発明の目的は、色んな人身事故による歩いている人や、色んな自転車に乗って走っている人に衝突した時、及び色んな建造物などに衝突して逃げる人達に、逃げ得の抑止効果を上げる為には、１の全ての色んな自動車の前に有る、２の色んな自動車のフロントバンパーに、４の加害者の住所や氏名を記憶したチップをガラス又は、プラスチックを埋め込んで有るのを貼り付けて、３の色んな自動車の左側のボデーの外側に、４の加害者の住所や氏名を記憶したチップをガラス又は、プラスチックに埋め込んで有るのを、色んな自動車のフロントバンパーや左側のボデーの外側に貼り着けて有るので、色なん事故を起こし時の衝撃で、自動車のフロントバンパーやボデーに歪やへこみができて、自動車のフロントバンパーや左側のボデーの外側と、加害者の住所や氏名を記憶したチップをガラス又は、プラスチックの中に埋め込んで、加害者の住所や氏名を記憶したチップを埋め込んだガラス又は、プラスチックがバラバラに割れると、色んな自動車のフロントバンパーや左側のボデーの外側から、道路や他の場所の地面の上にバラバラなって落ちるので、それを拾って加害者の住所や氏名を記録したのを見て調べれば、色んな事故を起こして逃げてしまう人達に、身元の特定が早くしかも簡単にできてしまうので、逃げ得の人達への抑止効果を上げる事に繋がります。
【産業上の利用可能性】
【０００９】
日本中の警察署で活躍している、色んな交通事故を担当する警察官が、交通事故が起きる度に、色んな人身事故による歩いている人や、色んな自転車に乗って走っている人に衝突した時、及び色んな建造物などに衝突して逃げる人達がいるので、色んな人のひき逃げや、色んな建造物などに当て逃げをする人達を逮捕する為に、色んな交通事故を担当する警察官が捜査する人数や労力が大変で、色んな交通事故を担当する警察官の捜査する費用、及び色んな交通事故を担当する警察官の捜査する時間や、警察官に大変な苦労が掛かっているので、加害者の特定が簡単に、しかも早くできるように工夫して、逃げ得を抑止する効果が期待できるので、大いに大きな社会貢献になる。
【符号の説明】
【００１０】
１、自動車。
２、フロントバンパー。
３、左側のボデー。
４、加害者の住所氏名を記憶した、まああるく外側に曲がる材質の材料にチップを埋めこんだプレートの自動車の左側面図と平面図。
５、加害者の住所氏名を記憶したガラス又は、プラスチックのチップを埋め込んだ自動車の左側面図と平面図。
【図１】
2019099036.tif 000003
【図２】
2019099036.tif 000004
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
この発明の特徴は、毎日日本中の何処かで色んな自動車が歩いている人達
や、色んな自転車に乗って走っている人を、ひき逃げをしたまま逃げてし
まう人達や、色んな自動車同士が衝突した時、及び色んな建造物などに色
んな自動車をぶつけて、そのまま逃げてしまう人達がいるのを防ぐ為には、
通常の状態で速く走っている時の振動くらいでは、簡単に道路や他の場所
の地面の上に落ちないようにして、加害者の色んな自動車が衝突した時の
証拠が残るようにする為に、全ての色んな自動車が歩いている人や、色ん
な自転車に乗って走っている人を、ひき逃げをした時や、色んな自動車同
士が衝突時、及び色んな建造物などに、色んな自動車が衝突した時の激し
い衝撃でガラス又は、プラスチックがバラバラに割れるのと、色んな自動
車のフロントバンパーや、左側のボデーの外側に歪やへこみができると、
自動車のフロントバンパーの外側に４個から５個位と、左側のボデーの外
側に２個から３個位貼り着けておくと、色んな自動車が歩いている人や、
色んな自転車に乗って走っている色んな人をひき逃げした時や、色んな自
動車同士が衝突した時、及び色んな建造物などに色んな自動車をぶつけた
時に、衝突した時の激しい衝撃でガラス又は、プラスチックがバラバラに
割れるので、しかも色んな自動車のフロントバンパーや、左側のボデーの
外側にへこみができると、加害者の住所や氏名を記憶したチップを埋め込
んだガラス又は、プラスチックがバラバラに割れた破片が、道路や他の地
面の上に、バラバラに落ちているので、加害者の住所や氏名が簡単に、し
かも早く特定出来るように考え、できるように工夫して限定した構造の全
ての色んな自動車。
【請求項２】
全ての色んな自動車に元々初めからは、常に湾曲したまあるく外側に曲が
るような性質の材料を利用していて、それをは常に湾曲したまあるく外側
に曲がるような性質の材料の事を云い、真っ直ぐ平らに伸ばしてから、色
んな自動車の横幅の広さや、色んな自動車の前から後ろまでの長さの大き
さによって違うので、色んな自動車のフロントバンパーの外側に４個から
５個位と、左側のボデーの外側に２個から３個位貼りつけておくと、衝突
した時の衝撃で元の形に戻ろうとして、真っ直ぐ平らに伸びてしまうので、
薄い板状にしたプレートに埋め込んだチップと、フロントバンパーやの左
側のボデーとの接着力が殆ど無くなるので、フロントバンパーや左側のボ
デーから剥がれて、道路や他の地面の上に落ちているので、加害者の住所
や氏名が簡単に、しかも早く特定出来るように考え、できるように工夫し
て限定した構造の全ての色んな自動車。
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
本願発明１及び本願発明２について、この発明の特徴は、毎日日本中の何処かで色んな自動車が歩いている人達や、色んな自転車に乗って走っている人を、ひき逃げをしたまま逃げてしまう人達や、色んな自動車同士が衝突した時、及び色んな建造物などに色んな自動車をぶつけて、そのまま逃げてしまう人達がいるのを防ぐ為には、通常の状態で速く走っている時の振動くらいでは、簡単に道路や他の場所の地面の上に落ちないようにして、色んな加害者の色んな自動車が衝突した時の証拠が残るようにする為に、全ての自動車が歩いている人や、色んな自転車に乗って走っている人を、ひき逃げした時や、色んな自動車同士が衝突した時、及び色んな建造物などに、色んな自動車が衝突した時の激しい衝撃でガラス又はプラスチックがバラバラに割れるのと、色んな自動車のフロントバンパーや、左側のボデーの外側に歪やへこみができると、自動車のフロントバンパーの外側に薄い板状にしたチップを４個から５個位と、左側のボデーの外側に薄い板状にしたチップを２個から３個位貼り着けておくと、色んな自動車が歩いている人や、色んな自転車に乗って走っている色んな人をひき逃げした時や、色んな自動車同士が衝突した時、及び色んな建造物などに色んな自動車をぶつけた時に、衝突した時の激しい衝撃でガラス又はプラスチックがバラバラに割れので、しかも色んな自動車のフロントバンパーや、左側のボデーの外側に歪やへこみができると、自動車のボデーやバンパーがバラバラに割れた破片ではなく、加害者の住所や氏名を記憶した薄い板状にしたチップを埋め込んだ装置である事に限定する事と、加害者の住所や氏名を記憶したチップの数は、自動車の横幅の広さや、自動車の前から後までの長さの大きさによって異なるで、フロントバンパーの外側に薄い板状にしたチップを４個から５個位と、左側のボデーの外側に薄い板状にしたチップを２個から３個位加害者の住所や氏名を記憶したチップを埋め込んで貼り着けておくと、左側のボデーの外側に歪やへこみができても、道路や他の場所の地面の上に、バラバラに落ちているのではなくて、バラバラに割れた破片がガラス又はプラスチックがバラバラに割れた破片が、道路や他の場所の地面の上に、バラバラに落ちているので、しかも早く特定出来るように考え、できるように工夫して限定した構造の全ての色んな自動車。  
【請求項２】
全ての色んな自動車に元々初めからは、常に湾曲したまあるく外側に曲がるような性質の材料を利用していて、それをは常に湾曲したまあるく外側に曲がるような性質の材料の事を云い、真っ直ぐ平らに伸ばしてから、色んな自動車の加害者の住所や氏名を記憶したチップの数は、自動車の横幅の広さや、自動車の前から後までの長さの大きさによって異なるで、色んな自動車のフロントバンパーの外側に薄い板状にしたチップを４個から５個位と、左側のボデーの外側に薄い板状にしたチップを２個から３個位貼りつけて、元の形とは常に湾曲したまあるく外側に曲がるような形の事を云うのである。  
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
自動車の運転者の住所や氏名を記憶したチップが板状のガラス又はプラスチックに埋め込まれた装置であって、
前記装置を自動車のフロントバンパーの外側や、左側のボデーの外側に貼り付けることにより、
衝突時の衝撃で前記チップを埋め込んだ前記板状のガラス又はプラスチックがバラバラに割れて前記装置が地面の上に落下し、運転者を特定可能な装置。
【請求項２】
自動車の運転者の住所や氏名を記憶したチップが曲がったプレートに埋め込まれた装置であって、前記装置を真っ直ぐ平らに伸ばして自動車のフロントバンパーの外側や、左側のボデーの外側に接着により取り付けることにより、
衝突時の衝撃で前記装置が地面の上に落下し、運転者を特定可能な装置。